(57)【要約】  本発明は、風力タービン（１００）の少なくとも１つの構成要素（５６〜７２）にエネルギーを供給する方法に関する。風力タービン（１００）の動作中のエネルギーは、風力タービン（１００）の発電機（１０）で生成されたエネルギーから取得され、風力タービン（１００）の構成要素（５６〜７２）への供給に提供される。本発明はさらに、この方法を実施するためのエネルギー供給装置（２２）およびエネルギー供給装置（２２）を有する風力タービン（１００）に関する。【選択図】図２
2020534476.tif 000002
【特許請求の範囲】
【請求項１】
エネルギー供給装置（２２）によって、風力タービン（１００）の少なくとも１つの構成要素（５６〜７２）にエネルギーを供給する方法であって、
前記風力タービンの動作中において、エネルギーは、前記エネルギー供給装置（２２）によって、前記風力タービン（１００）の発電機（１０）で生成されたエネルギーから取得され、前記風力タービン（１００）の構成要素（５６〜７２）への供給に提供される、
方法。
【請求項２】
前記発電機（１０）で生成されたエネルギーの電圧は、整流器（１２）で整流され、直流電圧中間回路（１４）の中間ストレージに入れられ、前記構成要素（５６〜７２）を供給するためのエネルギーは、前記エネルギー供給装置（２２）によって前記直流電圧中間回路（１４）から取得される、
請求項１に記載の方法。
【請求項３】
前記構成要素（５６〜７２）を供給するために前記直流電圧中間回路（１４）から取り出されたエネルギーの電圧は、前記エネルギー供給装置（２２）のインバータ（２８）で交流電圧に変換され、前記エネルギー供給装置（２２）の前記インバータ（２８）は、供給グリッド（２０）用の直流電圧中間回路（１４）に供給されるエネルギーの電圧を交流電圧に変換するインバータ（１６）とは異なる、
請求項２に記載の方法。
【請求項４】
前記エネルギー供給装置（２２）の前記インバータ（２８）で変換された前記交流電圧は、フィルタリングされ、特に、前記エネルギー供給装置（２２）のフィルタ（３０）、特に、インダクタンス、またはチョーク、および／または少なくとも１つのコンデンサで、平滑化される、
請求項３に記載の方法。
【請求項５】
直流電圧中間回路（１４）から取り出されたエネルギーの電圧は、前記エネルギー供給装置（２２）の変圧器（３４）で、前記構成要素（５６〜７２）に適した電圧、特に、４００Ｖに、変換される、
請求項１から４のいずれか１項に記載の方法。
【請求項６】
前記エネルギー供給装置（２２）は、特に、蓄電池であるエネルギー貯蔵手段（２６）を有し、前記風力タービン（１００）の少なくとも１つの構成要素（５６〜７２）および／または前記風力タービン（１００）の励起回路（３９）は、特に、前記発電機（１０）がエネルギーを生成していない場合に、前記エネルギー貯蔵手段（２６）からエネルギーが供給される、
請求項１から５のいずれか１項に記載の方法。
【請求項７】
直流電圧中間回路（１４）および／またはエネルギー貯蔵手段（２６）でエネルギーが利用できない場合には、少なくとも１つの前記構成要素（５６〜７２）および／または励起回路（３９）には、前記風力タービン（１００）に接続された供給グリッド（２０）からエネルギーが供給される、
請求項１から６のいずれか１項に記載の方法。
【請求項８】
請求項１から７のいずれか１項に記載の方法を実行するエネルギー供給装置。
【請求項９】
前記エネルギー供給装置（２２）は、直流電圧中間回路（１４）に接続可能な入力（２５）を有しており、出力（３６）において、前記構成要素（５６〜７２）へ供給するための利用可能なエネルギーを生成し、および／または、別の出力（４１）において、風力タービン（１００）の励起回路（３９）へ供給するための利用可能なエネルギーを生成する、
請求項８に記載のエネルギー供給装置。
【請求項１０】
前記エネルギー供給装置（２２）は、入力（２５）において供給されるエネルギーの電圧を、前記構成要素（５６〜７２）に適した交流電圧に変換するためのインバータ（２８）を有している、
請求項８または９に記載のエネルギー供給装置。
【請求項１１】
前記エネルギー供給装置（２２）は、インバータ（２８）で生成された交流電圧を平滑化するために、フィルタ（３０）、特に、インダクタンス、またはチョーク、および／または、少なくとも１つのコンデンサを有している、
請求項８から１０のいずれか１項に記載のエネルギー供給装置。
【請求項１２】
前記エネルギー供給装置（２２）は、インバータ（２８）で生成された交流電圧を、前記構成要素（５６〜７２）へ供給するために適した交流電圧に変換する変圧器（３４）を有している、
請求項８から１１のいずれか１項に記載のエネルギー供給装置。
【請求項１３】
前記構成要素（５６〜７２）または励起回路（３９）に供給するための供給グリッド（２０）からエネルギーを提供するために、前記変圧器（３４）、特に、その一次側において、直流電圧中間回路（１４）からエネルギーを取得し、特に、二次側において、出力（３６）で前記構成要素（５６〜７２）にエネルギーを供給し、前記変圧器（３４）が、特に、その二次側において、供給グリッド（２０）へ付加的に接続される、
請求項１２に記載のエネルギー供給装置。
【請求項１４】
前記エネルギー供給装置（２２）は、好ましくは、直流電圧中間回路（１４）に接続可能な、エネルギー貯蔵手段（２６）を有している、
請求項８から１３のいずれか１項に記載のエネルギー供給装置。
【請求項１５】
別の出力（４１）および／またはエネルギー貯蔵手段（２６）および／または前記構成要素（５６〜７２）において、前記供給グリッド（２０）から前記励起回路（３９）へ、前記エネルギー供給装置（２２）によって供給されるエネルギーを提供するために、前記エネルギー供給装置（２２）は、整流器（３８）を備えている、
請求項８から１４のいずれか１項に記載のエネルギー供給装置。
【請求項１６】
特に、請求項１から７のいずれか１項に記載の方法を実行する、請求項８から１５のいずれか１項に記載のエネルギー供給装置（２２）を備えた風力タービン。
【発明の詳細な説明】
【技術分野】
【０００１】
本発明は、風力タービンのエネルギー供給、特に、風力タービンのエネルギー供給装置を備えた風力タービンの構成要素、およびその方法に関する。
【背景技術】
【０００２】
風力タービンは、長い間知られている。風力タービンでは、空力ロータが発電機の発電機ロータ部材を駆動し、発電機が風から得られた運動エネルギーを電気エネルギーに変換する。その電気エネルギーは、発電機によって変圧器を介して風力タービンに接続された供給グリッドに供給される。その目的のために、風力タービンは、グリッド接続ポイントを介して供給グリッドに接続される。
【０００３】
電気供給グリッドは知られており、電気エネルギーはエネルギー貯蔵システムとエネルギー消費者の間で分配される。このような電力供給グリッドは、現在ではほとんどが５０Ｈｚまたは６０Ｈｚの所定のグリッド周波数の交流電圧で動作する。貯蔵システムと消費者の両方が、その周波数に設定されている。
したがって、このような供給グリッドは、風力タービン自体に電力を供給するのにも適している。よって、風力タービン自体、特に、その構成要素、すなわち電気的構成要素には、供給グリッドから電気エネルギーが供給されるのが普通である。エネルギー供給を必要とする構成要素は、例えば、風力タービン、冷却装置、機械式アクチュエータ、制御システム自体の構成要素である。構成要素の例として、例えば、風力タービンのヨー調整のための駆動、ロータブレード調整のための調整モータ、または発電機および／またはインバータを冷却するための様々な冷却装置について言及することができる。別の構成要素は、風力タービンの動作のために風力タービンの機械的構成要素を作動させる電気的な開ループおよび閉ループ制御装置である。
【０００４】
風力タービン自体に既知の方法でエネルギーが供給される供給グリッドは、その場合、１０％程度の電圧変動の影響を受ける。これらのグリッド電圧変動は、規制要件によって制限されているため、適切な調整メカニズムにより、指定されたグリッド電圧変動は１０％未満に保たれる。しかし、エネルギー供給グリッドがますます複雑になっているため、調整メカニズムは非常に高いレベルの労力と費用で１０％の制限しか観察できないため、グリッド電圧の変動に関する制限を増やすことについての議論がある。
【０００５】
現時点では一般的であり、規制緩和後に、おそらくさらに増加するであろうグリッド電圧変動のために、これらのグリッド電圧変動で風力タービンの信頼できる動作を保証するために、風力タービンまたはその構成要素に対してますます高まる要求がなされている。その目的のために、構成要素の敏感な部分の動作に適切な電圧を利用できるようにする一方で、過度の高電圧による構成要素への損傷を防止するように動作している間はいつでも、風力タービンの個々の構成要素に対してそれぞれ平滑回路と補償回路が提供される。
【０００６】
よって、これらの追加の平滑化および補償回路は、特に、このような補償回路を標準として含まない標準構成要素を使用することがもはやできないため、風力タービンの生産において追加のコスト要因を伴う。
したがって、本発明の目的は、最新技術における上述の問題の１つを解決することである。特に、本発明は、風力タービンにエネルギー供給を提供する可能な方法を見出すことを目指しており、供給グリッドのグリッド電圧よりも比較的小さな電圧変動でエネルギーを提供する。いずれにしても、本発明の目的は、最新技術から知られているものの代替物を提供することである。
【０００７】
本願の優先権主張出願について、ドイツ特許商標庁は、以下の先行技術文献をサーチした：米国特許出願公開第２０１１／０１４０５３４号明細書、米国特許出願公開第２０１２／００５６４２５号明細書。
【先行技術文献】
【特許文献】
【０００８】
【特許文献１】米国特許出願公開第２０１１／０１４０５３４号明細書
【特許文献２】米国特許出願公開第２０１２／００５６４２５号明細書
【発明の概要】
【発明が解決しようとする課題】
【０００９】
その目的のために、本発明は、エネルギー供給装置によって風力タービンの少なくとも１つの構成要素、すなわち電気的な構成要素にエネルギーを供給する方法に関する。風力タービンの動作中の方法によれば、エネルギーは、エネルギー供給装置によって風力タービンの発電機で生成されたエネルギーから取得され、風力タービンの構成要素に供給される。したがって、本明細書で説明する事例は、風力タービンの動作を特定するものであり、これは、例えば、風力タービンが高速になっている風力タービンの開始段階と区別されるべきである。したがって、この動作は、風の運動エネルギーが風力タービンの発電機で電気エネルギーに変換され、風力タービンに接続された電力供給グリッドに供給される風力タービンの状態を示す。
【００１０】
したがって、本発明によれば、全ての電気エネルギーが供給グリッドに供給されるわけではない。むしろ、発電機で生成される電気エネルギーの一部は、供給グリッドに供給されず、風力タービンの構成要素にそのエネルギーを供給する。したがって、構成要素に電力を供給するために、例えば、電圧に関して大きな変動の影響を受ける供給グリッドからエネルギーを取り出す必要がなくなる。ここで、構成要素は、例えば、風力タービンの制御システム、インバータの制御システム、ポッドの制御システム、冷却剤ポンプ、ピッチ駆動、ヨー駆動、タワー内の機器の電気部品、照明や換気などのポッドである。
【００１１】
したがって、本発明により、風力タービンの動作中、風力タービンの構成要素に供給するための風力タービンの電気エネルギーは、風力タービンの発電機で生成された電気エネルギーから直接取り出される。そのエネルギーは、特に、その電圧に関して、グリッド電圧よりも変動が少ないため、風力タービンの個々の構成要素の補償構成要素を省くことが可能である。
さらに、本発明は、好ましくは上述の方法が実行されるエネルギー供給装置に関する。エネルギー供給装置は、一方では風力タービンの発電機に電気的に接続された入力を有し、他方では風力タービンの構成要素に接続された出力を有する。エネルギー供給装置は、発電機によって生成されたエネルギーを構成要素に供給する。
【００１２】
第１実施形態によれば、発電機で生成されたエネルギーは整流器で整流され、直流電圧中間回路の中間ストレージに入れられる。風力タービンの構成要素に供給するエネルギーは、エネルギー供給装置によって直流電圧中間回路から取得される。したがって、エネルギー供給装置は、直流電圧中間回路に接続されているか、接続できる入力を備えている。発電機で生成されたエネルギーを直流電圧中間回路に供給することにより、風力タービンの構成要素に最初に実質的に変動しないか、わずかな変動のみを含む安定した直流電圧が提供される。安定した実質的に変動のない直流電圧は、風力タービンの構成要素への供給用に定義された電圧に簡単に変換されるため、実質的にそれ以上の電圧変動は発生しない。したがって、変動補償のために追加の構成要素を省くことができる。
【００１３】
したがって、エネルギー供給装置の他の実施形態によれば、風力タービンの構成要素に供給するためのエネルギーを直流電圧中間回路から取り出すために、直流電圧中間回路に接続される。
他の実施形態によれば、構成要素にエネルギーを供給するために直流電圧中間回路から取り出されたエネルギーの電圧は、エネルギー供給装置のインバータに供給され、インバータで交流電圧に変換される。エネルギー供給装置のそのインバータは、中間回路の電圧を供給グリッドに供給するための交流電圧に変換するインバータとは異なる。したがって、エネルギー供給装置は、直流電圧中間回路から取られたエネルギーの電圧を、構成要素に供給するのに役立つ交流電圧に変換するためのインバータを含む。
【００１４】
したがって、発電機によって提供されるエネルギーを供給グリッドに適した周波数の交流電圧に変換するインバータに加えて、構成要素に適した周波数の交流電圧を提供するために、エネルギー供給装置に特定のインバータがある。そのようにして、エネルギー供給装置のインバータは、例えば、特に、変動のない構成要素に適した周波数を提供できるように製造することが可能である。
【００１５】
その点で、構成要素は、グリッドとは異なる交流電圧の周波数に対する要求を含む可能性があることも考慮される。例えば、グリッドをサポートするために、供給グリッドに供給される発電機によって提供されるエネルギーが、その交流電圧周波数に関して特に適合している場合には、それから、それとは独立して、エネルギー供給装置のインバータによって、構成要素に適合された交流電圧周波数を依然として提供することができる。したがって、構成要素へのエネルギー供給は、グリッドの需要に適合している可能性のある周波数とは無関係に行われる。
【００１６】
他の実施形態によれば、エネルギー供給装置のインバータによって変換された交流電圧は、フィルタでフィルタリングされる。そのフィルタは、好ましくは、インダクタンスまたはチョークおよび／または少なくとも１つのコンデンサを有する。したがって、一実施形態によるエネルギー供給装置は、エネルギー供給装置の交流電圧をフィルタリングするために、インバータで変換されるフィルタ、より具体的には、インダクタンスまたはチョークおよび／または少なくとも１つのコンデンサを含むことが好ましい。
【００１７】
そのフィルタリング動作は、特に、インバータの出力で「チョップアップ」される交流電圧を平滑化するのに役立つ。このようにして、実質的に安定した正弦波構成を含む平滑化された交流電圧が得られる。その結果、非定常交流電圧に関連する堅牢性に関する風力タービンの構成要素に関する要求が軽減される。
他の実施形態では、直流電圧中間回路から取り出され、交流電圧に変換されるエネルギーの電圧を構成要素に適した電圧に変換するために、エネルギー供給装置に変圧器が提供される。その点において、好ましくは、交流電圧は４００Ｖの電圧に変換される。このようにして、構成要素に適した電圧振幅が提供される。
【００１８】
他の実施形態によれば、エネルギー供給装置は、エネルギー供給装置の入力を介して直流電圧中間回路に接続することができるエネルギー貯蔵手段を含む。エネルギー貯蔵手段は、特に、蓄電池、または、いわゆる「パワーキャップ」である。したがって、発電機がエネルギーを生成していないときに風力タービンの構成要素にエネルギー貯蔵手段からエネルギーを供給することができ、エネルギー貯蔵手段は．直流電圧中間回路から充電することができる。
【００１９】
この方法の他の実施形態では、直流電圧中間回路またはおそらく備えられているエネルギー貯蔵手段でエネルギーが利用できない状況では、少なくとも１つの構成要素に風力タービンに接続された供給グリッドからエネルギーが供給される。好ましくは、その目的のために、エネルギー供給装置の変圧器、例えば、構成要素にエネルギーも供給される二次側において、エネルギー供給装置の別の入力として、風力タービンのグリッド給電変圧器に同時に接続される。例えば、風力タービンが緊急モードにあるときにエネルギー供給装置のエネルギー貯蔵手段からのエネルギーが使い果たされる場合には、風力タービンの更新された始動は、供給グリッドからエネルギーを取得することによって達成され得る。
【００２０】
他の実施形態によれば、エネルギー供給装置は、特に充電目的で、別の出力での発電機の励起回路および／またはエネルギー貯蔵手段の供給グリッドからエネルギー供給装置に供給されるエネルギーを提供するために整流器を有する。
他の実施形態では、構成要素の基本的な電気インフラストラクチャ、例えば、照明システム、電源コンセント等の外部電源への切り替えスイッチが用意されている。その目的のために、エネルギー供給装置は、例えば、外部電源アセンブリである外部電源の接続のための別の入力を含む。そのようにして、他の全てのインストール構成要素をグリッドから分離しながら、基本インフラストラクチャを運用することができる。この例は、例えば、風力タービンの建設、供給グリッドの故障、または変圧器またはエネルギー供給装置の修理または保守作業中に供給グリッドがないことである。
【００２１】
他の構成は、図面を参照してより詳細に説明される例としての実施形態から明らかであろう。
【図面の簡単な説明】
【００２２】
【図１】風力タービンを示す図。
【図２】風力タービンのエネルギー供給システムを示す図。
【図３】風力タービンの動作中に風力タービンの少なくとも１つの構成要素にエネルギーを供給する方法の実施を示す図。
【図４】エネルギー供給装置のエネルギー貯蔵手段なしで風力タービンを始動する手順を示す図。
【図５】エネルギー貯蔵手段を備えた風力タービンを起動する手順を示す図。
【発明を実施するための形態】
【００２３】
図１は、本発明に係る風力タービン１００の概略図を示す。風力タービン１００は、タワー１０２と、タワー１０２上のポッド１０４とを備えている。３つのロータブレード１０８を有する空力ロータ１０６とスピナ１１０とは、ポッド１０４に設けられている。空力ロータ１０６は、風により風力タービンの動作中に回転させられ、したがって、空力ロータ１０６に直接または間接的に結合された発電機の動電ロータまたはロータ部材も回転させる。発電機は、ポッド１０４に配置され、電気エネルギーを生成する。ロータブレード１０８のピッチ角は、それぞれのロータブレード１０８のロータブレード根元部１０８ｂにあるピッチモータによって変えることができる。
【００２４】
図２は、風力タービン１００のエネルギー供給システムを示す。風力タービン１００は、電気的なエネルギーを生成する発電機１０を有している。電気的なエネルギーは、整流器１２によって整流され、直流電圧中間回路１４に供給される。図面をより明確にするために、ここでは１つの整流器１２のみが示されている。複数のモジュール、すなわち複数の整流器１２から成る、あるいは、それらを含む。直流電圧中間回路１４からのエネルギーは、整流された電圧と共にインバータ１６に供給され、インバータ１６は整流された電圧を、グリッド要件に適合した周波数で交流電圧に変換する。次に、交流電圧のエネルギーは、閉じたスイッチ１７およびグリッド変圧器１８によって、風力タービン１００に接続された供給グリッド２０に適した電圧に変換され、供給グリッド２０に供給される。
【００２５】
さらに、図面は、その入力２５におけるスイッチ２４によって、直流電圧中間回路１４へ接続可能なエネルギー供給装置２２を示す。
したがって、発電機１０によって生成されたエネルギーは、入力２５を介して、整流器１２による整流の後、エネルギー供給装置２２に供給される。スイッチ２４が閉じられると、エネルギーが蓄積されるエネルギー蓄積手段２６が直流電圧中間回路１４に接続される。そのエネルギー蓄積手段２６に加えて、直流電圧中間回路１４は、エネルギー蓄積手段２６が任意の構成部品を表すように、エネルギーを蓄積するための複数のコンデンサ（図示せず）も有する。
【００２６】
ここで例示される有利な実施形態によれば、直流電圧中間回路１４に含まれるコンデンサに加えてエネルギー蓄積手段２６を備え、エネルギー蓄積手段なしよりも実質的により大きなエネルギー蓄積が可能である。したがって、緊急事態または発電機１０自体によってエネルギーが生成されない始動モードでは、エネルギー貯蔵手段２６は、直流電圧中間回路１４とは無関係にエネルギー供給装置２２にエネルギーを提供する役割を果たす。
【００２７】
さらに、エネルギー供給装置２２には、発電機１０で生成されたエネルギーの直流電圧を直流電圧中間回路１４から交流電圧に変換するインバータ２８が設けられている。グリッドへの供給に適した電圧の周波数を生成するインバータ１６とは対照的に、インバータ２８は、風力タービン１００の構成要素の供給に適した周波数の電圧を生成するように適合されている。インバータ２８の出力には、フィルタ３０、すなわちチョークおよび／または１つまたは複数のコンデンサが配置され、これらはインバータ２８で生成された交流電圧を平滑化する。
【００２８】
さらに、スイッチ３２が設けられており、その閉状態では、平滑化された交流電圧が変圧器３４の一次側に供給される。変圧器３４は、電圧を風力タービン１００の構成要素への供給に適した電圧に変換する。それは、変圧器３４の二次側の出力３６で出力される。好ましくは、一例として、５５０Ｖまたは５００Ｖの交流電圧がその一次側で変圧器３４に供給され、部品に供給するために４００Ｖ出力３６で出力される。したがって、風力タービン１００の動作中、スイッチ２４，３２は閉じられる。
【００２９】
エネルギー供給装置２２の変圧器３４の二次側は、スイッチ３７，４３を介してグリッド側変圧器１８に接続することができる。エネルギー貯蔵手段２６が設けられていない状況、またはエネルギー貯蔵手段２６が放電され、風力タービン１００が停止し、したがってエネルギーを生成していない状況では、これらのスイッチ３７，４３を閉じることができる。したがって、電圧を供給グリッド２０から取得し、変圧器３４の二次側を介して構成要素に供給するための供給電圧に変換することができる。その後、それは、出力３６に出力される。
【００３０】
エネルギー貯蔵手段２６がない、またはエネルギー貯蔵手段２６が放電され、風力タービン１００が停止する状況では、エネルギーは、閉じられたスイッチ３７およびさらに閉じられたスイッチ４２によって、供給グリッド２０からエネルギー供給装置２２の整流器３８に供給することもできる。次に、そのエネルギーは、励起回路３９のバックコンバータ４０を介した発電機１０の励起が風力タービン１００の起動を可能にするように、励起回路３９の他の出力４１で提供される。
【００３１】
したがって、供給グリッド２０によって提供されるエネルギーは、グリッドからのエネルギーを整流し、バックコンバータ４０を介して発電機１０の別個の励起を生成する整流器３８に供給され得る。このため、供給グリッド２０は、スイッチ４２を介して整流器３８に接続されている。したがって、風力タービン１００の通常の動作では、十分なエネルギーが発電機１０によって直流電圧中間回路１４に供給され、そこに供給されると、バックコンバータ４０は、直流電圧中間回路１４から直接供給され、次にスイッチ４２が開かれる。ここでは、起動手順では、起動が不可能になるため、一時的に変動するグリッド電圧に頼らなければならないことを受け入れている。
【００３２】
例示されたエネルギー貯蔵手段２６が存在し、充電され、風力タービン１００がシャットダウンされる場合、始動手順のためにスイッチ４２，４３が開かれ、スイッチ２４，３２が閉じられる。したがって、バックコンバータ４０は、エネルギー貯蔵手段２６から供給され、したがって、別個に励起された発電機１０が直流電圧中間回路１４に供給されるエネルギーを生成し始めるように、発電機１０で励起が生成される。直流電圧中間回路１４に十分なエネルギーがあるとすぐに、エネルギー蓄積手段２６が再び充電される。
【００３３】
さらに、変圧器３４の出力３６は、風力タービン１００の構成要素にエネルギーを分配するための主分配システム４４に接続されている。次いで、変圧器３４の出力３６でのエネルギー出力は、スイッチ４６〜５４を介して風力タービン１００の構成要素に供給することができる。第１の構成要素は、例えば、コンバータを冷却するために冷却液を圧送する冷却剤ポンプ５６である。他の構成要素は、ピッチドライブ５８とヨードライブ６０である。加えて、他の構成要素は、冷却剤ポンプで運ばれる冷却液を冷却するための熱交換器ユニット６２である。さらに、構成要素は、いわゆるＥモジュール６４であり、これは、例えば、インバータ１６を制御してグリッド適合交流電流を生成するための制御手段を含む。さらに、構成要素には、ポッド１０４の電気機器だけでなく、タワー６６の電気機器も含まれる。タワー６６の電気機器およびポッド１０４の電気機器は、例えば、タワー１０２およびポッド１０４内の照明および換気設備を含む。
【００３４】
変圧器３４の出力３６に接続された他の構成要素は、例えば、Ｅモジュール７０の制御手段およびポッド７２の制御手段である。それらの構成要素７０，７２は、特定の電圧を必要とするため、さらなるトランス７４，７６がそれぞれ構成要素７０，７２の上流に接続される。
図３は、通常動作時、すなわち、発電機１０がエネルギーを生成し、整流器１２を介して直流電圧中間回路１４に供給しているときの風力タービン１００のエネルギー供給を示す。この場合、ステップ８０で、エネルギーは、直流電圧中間回路１４から取得され、ステップ８２で、エネルギーの直流電圧は、交流電圧に変換される。ステップ８４では、フィルタ３０、特に、チョークおよび／または少なくとも１つのコンデンサで交流電圧が平滑化され、ステップ８６では、平滑化された交流電圧が変圧器３４により構成要素適合電圧に変換される。ステップ８８では、同じものを供給するために、電圧が構成要素５６〜７２に供給される。
【００３５】
図４は、エネルギー貯蔵手段２６なしで風力タービン１００を始動するためのステップを示す。この場合、好ましくはスイッチ３７，４２，４３が閉じられ、スイッチ３２が開かれるステップ９０において、エネルギーは変圧器１８を介して供給グリッド２０から取り出され、ステップ９１で変圧器３４に供給される。変圧器３４は、ステップ９２でグリッド２０から取得した電圧を、風力タービン１００の構成要素５６〜７２に供給するための電圧に変換する。さらに、ステップ９２において、発電機１０の別個の励起を生成するために、供給グリッド２０からのエネルギーが整流器３８およびバックコンバータ４０に提供される。発電機１０の回転により、発電機１０は、ステップ９４でエネルギーを生成し、整流器１２を介して直流電圧中間回路１４にエネルギーを供給する。直流電圧中間回路１４の電圧が特定のレベルに達した後、ステップ９６で、スイッチ３７，４２，４３が開かれ、スイッチ１７，３２が閉じられることが好ましい。ここで、エネルギーは、直流電圧中間回路１４から供給グリッド２０に供給され、構成要素５６〜７２およびバックコンバータ４０は、直流電圧中間回路１４から発電機１０のための励起を生成するために供給される。それは、ステップ９８で発生する。
【００３６】
ステップ９０の代替案によれば、スイッチ１７，３２，４２が閉じられ、スイッチ４３が開かれる。ステップ９１で、エネルギーが供給グリッド２０から取り出され、整流器３８を介して変圧器３４および励起回路３９に供給される。変圧器３４は、ステップ９２でグリッド２０からの電圧を風力タービン１００の構成要素５６〜７２に供給するための電圧に変換する。
【００３７】
これらの方法により、メンテナンスまたは修理の状況でも、直流電圧中間回路を充電することなく、タービンの構成要素に電源を供給することができる。したがって、他の構成要素が電圧から安全に分離されている間、いくつかの所定のタービンの構成要素だけに電圧を供給する可能性がある。
図５は、エネルギー貯蔵手段２６がある状況で風力タービン１００を始動するための他の方法を示す。その場合、構成要素５６〜７２に給電するために、変圧器３４の出力でインバータ２８、フィルタ３０および変圧器３４を介して、エネルギー貯蔵手段２６によって電圧が供給される。さらに、励起回路３９は、エネルギー貯蔵手段２６からエネルギーを提供する。これは、ステップ１００において実行される。次に、ステップ１０２において、発電機１０がエネルギーを生成し、それを中間回路１４に供給する。次に、ステップ１０４において、直流電圧中間回路１４は、図３を参照して説明した方法で、励起回路３９および構成要素５６〜７２に供給するのに役立つ。エネルギー貯蔵手段２６も、そのステップで充電される。
【図１】
2020534476.tif 000003
【図２】
2020534476.tif 000004
【図３】
2020534476.tif 000005
【図４】
2020534476.tif 000006
【図５】
2020534476.tif 000007
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
エネルギー供給装置（２２）によって、風力タービン（１００）の少なくとも１つの構成要素（５６〜７２）にエネルギーを供給する方法であって、
前記風力タービンの動作中において、エネルギーは、前記エネルギー供給装置（２２）によって、前記風力タービン（１００）の発電機（１０）で生成されたエネルギーから取得され、前記風力タービン（１００）の構成要素（５６〜７２）への供給に提供される、
方法。
【請求項２】
前記発電機（１０）で生成されたエネルギーの電圧は、整流器（１２）で整流され、直流電圧中間回路（１４）の中間ストレージに入れられ、前記構成要素（５６〜７２）を供給するためのエネルギーは、前記エネルギー供給装置（２２）によって前記直流電圧中間回路（１４）から取得される、
請求項１に記載の方法。
【請求項３】
前記構成要素（５６〜７２）を供給するために前記直流電圧中間回路（１４）から取り出されたエネルギーの電圧は、前記エネルギー供給装置（２２）のインバータ（２８）で交流電圧に変換され、前記エネルギー供給装置（２２）の前記インバータ（２８）は、供給グリッド（２０）用の直流電圧中間回路（１４）に供給されるエネルギーの電圧を交流電圧に変換するインバータ（１６）とは異なる、
請求項２に記載の方法。
【請求項４】
前記エネルギー供給装置（２２）の前記インバータ（２８）で変換された前記交流電圧は、フィルタリングされる、
請求項３に記載の方法。
【請求項５】
直流電圧中間回路（１４）から取り出されたエネルギーの電圧は、前記エネルギー供給装置（２２）の変圧器（３４）で、前記構成要素（５６〜７２）に適した電圧に、変換される、
請求項１から４のいずれか１項に記載の方法。
【請求項６】
前記エネルギー供給装置（２２）は、エネルギー貯蔵手段（２６）を有し、前記風力タービン（１００）の少なくとも１つの構成要素（５６〜７２）および／または前記風力タービン（１００）の励起回路（３９）は、前記エネルギー貯蔵手段（２６）からエネルギーが供給される、
請求項１から５のいずれか１項に記載の方法。
【請求項７】
直流電圧中間回路（１４）および／またはエネルギー貯蔵手段（２６）でエネルギーが利用できない場合には、少なくとも１つの前記構成要素（５６〜７２）および／または励起回路（３９）には、前記風力タービン（１００）に接続された供給グリッド（２０）からエネルギーが供給される、
請求項１から６のいずれか１項に記載の方法。
【請求項８】
請求項１から７のいずれか１項に記載の方法を実行するエネルギー供給装置。
【請求項９】
前記エネルギー供給装置（２２）は、直流電圧中間回路（１４）に接続可能な入力（２５）を有しており、出力（３６）において、前記構成要素（５６〜７２）へ供給するための利用可能なエネルギーを生成し、および／または、別の出力（４１）において、風力タービン（１００）の励起回路（３９）へ供給するための利用可能なエネルギーを生成する、
請求項８に記載のエネルギー供給装置。
【請求項１０】
前記エネルギー供給装置（２２）は、入力（２５）において供給されるエネルギーの電圧を、前記構成要素（５６〜７２）に適した交流電圧に変換するためのインバータ（２８）を有している、
請求項８または９に記載のエネルギー供給装置。
【請求項１１】
前記エネルギー供給装置（２２）は、インバータ（２８）で生成された交流電圧を平滑化するために、フィルタ（３０）を有している、
請求項８から１０のいずれか１項に記載のエネルギー供給装置。
【請求項１２】
前記エネルギー供給装置（２２）は、インバータ（２８）で生成された交流電圧を、前記構成要素（５６〜７２）へ供給するために適した交流電圧に変換する変圧器（３４）を有している、
請求項８から１１のいずれか１項に記載のエネルギー供給装置。
【請求項１３】
前記構成要素（５６〜７２）または励起回路（３９）に供給するための供給グリッド（２０）からエネルギーを提供するために、前記変圧器（３４）において、直流電圧中間回路（１４）からエネルギーを取得し、出力（３６）で前記構成要素（５６〜７２）にエネルギーを供給し、前記変圧器（３４）が、供給グリッド（２０）へ付加的に接続される、
請求項１２に記載のエネルギー供給装置。
【請求項１４】
前記エネルギー供給装置（２２）は、エネルギー貯蔵手段（２６）を有している、
請求項８から１３のいずれか１項に記載のエネルギー供給装置。
【請求項１５】
別の出力（４１）および／またはエネルギー貯蔵手段（２６）および／または前記構成要素（５６〜７２）において、前記供給グリッド（２０）から前記励起回路（３９）へ、前記エネルギー供給装置（２２）によって供給されるエネルギーを提供するために、前記エネルギー供給装置（２２）は、整流器（３８）を備えている、
請求項８から１４のいずれか１項に記載のエネルギー供給装置。
【請求項１６】
請求項８から１５のいずれか１項に記載のエネルギー供給装置（２２）を備えた風力タービン。
【請求項１７】
前記エネルギー供給装置（２２）の前記インバータ（２８）で変換された前記交流電圧は、平滑化される、
請求項４に記載の方法。
【請求項１８】
前記エネルギー供給装置（２２）の前記インバータ（２８）で変換された前記交流電圧は、インダクタンス、またはチョーク、および／または少なくとも１つのコンデンサで、フィルタリングされる、
請求項４に記載の方法。
【請求項１９】
直流電圧中間回路（１４）から取り出されたエネルギーの電圧は、前記エネルギー供給装置（２２）の変圧器（３４）で、４００Ｖに変換される、
請求項５に記載の方法。
【請求項２０】
前記エネルギー供給装置（２２）は、前記エネルギー貯蔵手段（２６）として蓄電池を有している、
請求項６に記載の方法。
【請求項２１】
前記風力タービン（１００）の少なくとも１つの構成要素（５６〜７２）および／または前記風力タービン（１００）の励起回路（３９）は、前記発電機（１０）がエネルギーを生成していない場合に、前記エネルギー貯蔵手段（２６）からエネルギーが供給される、
請求項６に記載の方法。
【請求項２２】
前記エネルギー供給装置（２２）は、インダクタンス、またはチョーク、および／または、少なくとも１つのコンデンサを有している、
請求項１１に記載のエネルギー供給装置。
【請求項２３】
前記変圧器（３４）の一次側において、直流電圧中間回路（１４）からエネルギーを取得し、二次側において、出力（３６）で前記構成要素（５６〜７２）にエネルギーを供給し、前記変圧器（３４）の二次側において、供給グリッド（２０）へ付加的に接続される、
請求項１３に記載のエネルギー供給装置。
【請求項２４】
前記エネルギー貯蔵手段（２６）は、直流電圧中間回路（１４）に接続可能である、
請求項１４に記載のエネルギー供給装置。
【請求項２５】
請求項１から７のいずれか１項に記載の方法を実行する前記エネルギー供給装置（２２）を備えた、
請求項１６に記載の風力タービン。
【国際調査報告】
2020534476.tif 000008
2020534476.tif 000009
2020534476.tif 000010
2020534476.tif 000011
2020534476.tif 000012